(57)【要約】【課題】  プラテンギャップ調整レバーを備えたプリンタ及び画像入出力装置を小型化する。【解決手段】  ガイドロッドに摺動自在に嵌合し印刷媒体に画像を印刷する印刷ヘッドと、一端が前記印刷ヘッドの往復移動方向の一方側に接続され中間部で緩やかに前記印刷ヘッドの往復移動方向の他方側に折り返されて他端が制御部に接続されているフレキシブルケーブルと、前記ガイドロッドの偏心軸とともに揺動し、前記ガイドロッドの偏心軸から、前記フレキシブルケーブルの前記印刷ヘッドの往復移動方向の一方側に突出する部位を避けつつ前記印刷ヘッドの往復移動軸線に直交する方向に延び、ハウジングの外側に至るプラテンギャップ調整レバーと、を備えることを特徴とするプリンタ。【選択図】  図１
2005059557.tif 000002
【特許請求の範囲】
【請求項１】
ハウジングと、
前記ハウジングに収容され、印刷媒体を位置決めするためのプラテンと、
前記ハウジングに収容され、前記プラテンの長手方向軸線と平行に設けられるガイドロッドと、
前記ハウジングに収容され、前記ガイドロッドの偏心軸を回転自在に支持している軸受け部と、
前記ハウジングに収容され、前記ガイドロッドに摺動自在に嵌合し印刷媒体に画像を印刷する印刷ヘッドと、
前記ハウジングに収容され、前記印刷ヘッドを前記ガイドロッドに沿って往復移動させるヘッド駆動部と、
前記ハウジングに収容され、前記印刷ヘッド及び前記ヘッド駆動部を制御する制御部と、
前記ハウジングに収容され、一端が前記印刷ヘッドの往復移動方向の一方側に接続され中間部で緩やかに前記印刷ヘッドの往復移動方向の他方側に折り返されて他端が前記制御部に接続されているフレキシブルケーブルと、
前記ガイドロッドの偏心軸とともに揺動し、前記ガイドロッドの偏心軸から、前記フレキシブルケーブルの前記印刷ヘッドの往復移動方向の一方側に突出する部位を避けつつ前記印刷ヘッドの往復移動軸線に直交する方向に延び、前記ハウジングの外側に至るプラテンギャップ調整レバーと、
を備えることを特徴とするプリンタ。
【請求項２】
前記プラテンギャップ調整レバーは、前記フレキシブルケーブルを迂回してＵ字形に屈曲している屈曲部を有し、
前記ハウジングは、前記屈曲部の先端部が挿入される開口部を有し、
前記プラテンギャップ調整レバーが揺動するとき、前記屈曲部の先端部の外周壁と前記開口部を囲む前記ハウジングの環状壁との環状隙間の幅がほぼ一定であることを特徴とする請求項１に記載のプリンタ。
【請求項３】
前記開口部が前記ハウジングの上部に形成された請求項１又は２に記載のプリンタと、
前記ハウジングの上部と前記開口部から露出した前記屈曲部の先端部とを覆う姿勢で設けられ、前記ハウジングの上部と前記屈曲部の先端部とを露出させる姿勢に移動可能なイメージスキャナと、
を備えていることを特徴とする画像入出力装置。
【発明の詳細な説明】
【技術分野】
【０００１】
本発明は、プリンタ及び画像入出力装置に関する。
【背景技術】
【０００２】
従来、印刷ヘッドが嵌合するガイドロッドの偏心軸を回転させることにより、印刷用紙の厚さに応じてプラテンと印刷ヘッドとの間隔を調整するための機構を備えたプリンタが知られている。ガイドロッドの偏心軸を回転させるプラテンギャップレバーは、ガイドロッドの偏心軸からハウジングの外側まで延びている。
【発明の開示】
【発明が解決しようとする課題】
【０００３】
しかし、プラテンギャップ調整レバーを備えることにより、ハウジングが大型化するという問題がある。
本発明は、プラテンギャップ調整レバーを備えたプリンタ及び画像入出力装置を小型化することを目的とする。
【課題を解決するための手段】
【０００４】
上記目的を達成するため、本発明に係るプリンタは、ハウジングと、前記ハウジングに収容され、印刷媒体を位置決めするためのプラテンと、前記ハウジングに収容され、前記プラテンの長手方向軸線と平行に設けられるガイドロッドと、前記ハウジングに収容され、前記ガイドロッドの偏心軸を回転自在に支持している軸受け部と、前記ハウジングに収容され、前記ガイドロッドに摺動自在に嵌合し印刷媒体に画像を印刷する印刷ヘッドと、前記ハウジングに収容され、前記印刷ヘッドを前記ガイドロッドに沿って往復移動させるヘッド駆動部と、前記ハウジングに収容され、前記印刷ヘッド及び前記ヘッド駆動部を制御する制御部と、前記ハウジングに収容され、一端が前記印刷ヘッドの往復移動方向の一方側に接続され中間部で緩やかに前記印刷ヘッドの往復移動方向の他方側に折り返されて他端が前記制御部に接続されているフレキシブルケーブルと、前記ガイドロッドの偏心軸とともに揺動し、前記ガイドロッドの偏心軸から、前記前記フレキシブルケーブルの前記印刷ヘッドの往復移動方向の一方側に突出する部位を避けつつ前記印刷ヘッドの往復移動軸線に直交する方向に延び、前記ハウジングの外側に至るプラテンギャップ調整レバーと、を備えることを特徴とする。プラテンギャップ調整レバーをフレキシブルケーブルを避けつつ印刷ヘッドの往復移動軸線に直交する方向に延ばすことにより、従来に比べてプラテンギャップ調整レバーを印刷ヘッドの移動空間に接近させて印刷ヘッドの側方に設けることが可能になり、ハウジングを小型化することが可能になる。
【０００５】
さらに本発明に係るプリンタでは、前記プラテンギャップ調整レバーは、前記フレキシブルケーブルを迂回してＵ字形に屈曲している屈曲部を有し、前記ハウジングは、前記屈曲部の先端部が挿入される開口部を有し、前記プラテンギャップ調整レバーが揺動するとき、前記屈曲部の先端部の外周壁と前記開口部を囲む前記ハウジングの環状壁との環状隙間の幅がほぼ一定であることを特徴とする。プラテンギャップ調整レバーが揺動するとき、屈曲部の先端部の外周壁と開口部を囲むハウジングの環状壁との環状隙間の幅をほぼ一定にすることで、ゴミなどの異物がハウジング内部に進入することを防止できる。
【０００６】
本発明に係る画像入出力装置は、前記開口部が前記ハウジングの上部に形成された請求項１又は２に記載のプリンタと、前記ハウジングの上部と前記開口部から露出した前記屈曲部の先端部とを覆う姿勢で設けられ、前記ハウジングの上部と前記屈曲部の先端部とを露出させる姿勢に移動可能なイメージスキャナと、を備えていることを特徴とする。ハウジングの上部に形成された開口部からプラテンギャップ調整レバーが露出しているため、プラテンギャップ調整レバーの操作が容易である。
【発明を実施するための最良の形態】
【０００７】
以下、実施例に基づいて本発明の実施の形態を説明する。
図１及び図２は、本発明の一実施例による画像入出力装置１０を示す斜視図である。図３は、画像入出力装置１０の内部構造を示す模式図である。画像入出力装置１０は、プリンタ２０と、図２に示す全閉姿勢から図１に示す全開姿勢まで揺動可能なイメージスキャナ１２とを備えている。プリンタ２０とイメージスキャナ１２とは図示しないヒンジによって連結されている。
【０００８】
プリンタハウジング３２は、上部が開口した箱形に形成され、イメージスキャナ１２の下方に位置する。スキャナハウジング３６を上方向に揺動させることにより、プリンタハウジング３２の開口から印刷ヘッド３０を露出させることができる。
【０００９】
印刷ヘッド３０は、例えばインクを吐出するノズル、ピエゾ素子、インク通路などを備え、インクジェット方式によりインク滴を用紙に定着させる。インクカートリッジ１７は、印刷ヘッド３０に脱着自在に固定されている。インクカートリッジ１７は、各色のインクが貯蔵された容器である。インクカートリッジ１７に貯蔵されたインクは、インク通路を通じて印刷ヘッド３０のノズルに供給される。尚、印刷ヘッド３０は、インクジェット方式に限らず、レーザ方式等の各種の印刷方式に適合するように構成すればよい。印刷ヘッド３０の側面にフレキシブルケーブルとしての第一フレキシブルフラットケーブル（ＦＦＣ）１４の一端部１４２（図３参照）が接続されている。第一ＦＦＣ１４は、図１に示すように印刷ヘッド３０の側面から印刷ヘッド３０の移動方向の一方（以下、前進方向というものとする。）に延び、印刷ヘッド３０の移動方向の他方（以下、後進方向というものとする。）に緩やかに折り返されている。
【００１０】
図４はプリンタ２０を示す斜視図である。
印刷ヘッド３０は、ガイドロッド２２に摺動自在に嵌合する嵌合部３１を有する。印刷ヘッド３０は、ヘッド駆動部を構成するベルト１５に係止されている。印刷ヘッド３０は、ベルトの回転に伴ってガイドロッド２２の軸線方向に往復移動する。ヘッド駆動部は、ベルト１５の他、ベルト１５が掛け廻されたプーリ、歯車列、モータ等の図示しない要素で構成されている。
【００１１】
プラテン３４は印刷ヘッド３０の下方に設けられている。プラテン３４の長手方向軸線とガイドロッド２２の中心軸線とは平行である。プラテン３４の上面は印刷用紙に摺接し、印刷ヘッド３０から下方にわずかに離れた位置に印刷用紙を位置決めする。プラテン３４と印刷ヘッド３０との間隔（以下、プラテンギャップという。）は、ガイドロッド２２を回転させることにより調整可能である。
【００１２】
図５及び図６はプリンタ２０から印刷ヘッドを取り外した状態を示す斜視図である。
プラテンギャップ調整レバー（以下、単に調整レバーという。）１８は、ガイドロッド２２の一端に形成された偏心軸（図３参照）２２０に固定されている。ガイドロッド２２の偏心軸２２０は、フレーム１９に固定された軸受け部２１に回転自在に支持されている。調整レバー１８とともにガイドロッド２２が偏心軸２２０を中心に回転すると、ガイドロッド２２の中心軸線は、上下方向に移動する。ガイドロッド２２の中心軸線が上下方向に移動すると、それに伴って印刷ヘッド３０が上下方向に移動し、プラテンギャップが変化する。
【００１３】
図７及び図８は、プラテンギャップ調整レバー１８とプリンタハウジング３２の上部を示す断面図である。
調整レバー１８は、ガイドロッド２２の偏心軸２２０（図３参照）に固定され、回転中心Ｐを中心にして揺動する。調整レバー１８は、Ｕ字形に屈曲した棒状の屈曲部１８２，１８４，１８６と、ガイドロッド２２の偏心軸２２０に固定される基端部１８８と、先端側屈曲部１８２の先端部から突出した突部１８０で構成される。基端部１８８には、ガイドロッド２２の偏心軸２２０が嵌合する穴１８９が形成されている。突部１８０は、調整レバー１８を揺動させるために指をかける部位である。先端側屈曲部１８２は、回転中心Ｐを中心とする円弧に沿うように湾曲している。
【００１４】
屈曲部１８２，１８４，１８６は、図７、８に破線で図示する第一ＦＦＣ１４を避けるようにＵ字形に屈曲している。印刷ヘッド３０が前述の前進方向に最後まで移動すると、第一ＦＦＣ１４の折り返し部１４４（図１、図３参照）は、フレーム２１より外側に設けられたプラテンギャップ調整レバー１８の屈曲部１８２，１８４，１８６に囲まれる位置まで張り出す。このように、屈曲部１８２，１８４，１８６が第一ＦＦＣ１４を避けているため、第一ＦＦＣ１４と調整レバー１８とを接触させることなく、プリンタハウジング３２の内側に寄せて調整レバー１８を配置することができる。したがって、プリンタハウジング３２の幅を小さくすることができる。
【００１５】
プリンタハウジング３２の上部には、調整レバー１８の先端側屈曲部１８２が挿入される開口部３２０が形成されている。開口部３２０は、調整レバー１８の先端側屈曲部１８２の横断面よりやや広く形成されている。調整レバー１８が図５に示すようにプリンタハウジング３２の背面側限界まで揺動すると、図７に示すように先端側屈曲部１８２はプリンタハウジング３２の外部にほとんど退出する。調整レバー１８が図６に示すようにプリンタハウジング３２の前面側限界まで揺動すると、先端側屈曲部１８２は、図８に示すようにプリンタハウジング３２の内部にほとんど隠れる。尚、突部１８０は常にプリンタハウジング３２の外部に露出している。
【００１６】
調整レバー１８の先端側屈曲部１８２は、プリンタハウジング３２の上面に形成された凹部３２６に収まる。凹部３２６の底部３２２は、調整レバー１８の回転中心Ｐを中心とする円弧に沿うように湾曲し、調整レバー１８が揺動すると先端側屈曲部１８２の下方に潜り込み、Ｕ字形に屈曲した屈曲部１８２，１８４，１８６の内側に収まる位置にある。このため、開口部３２０を囲む環状壁３２４と調整レバー１８との環状隙間の幅は、調整レバー１８がどのような位置にあってもほぼ一定になる。したがって、開口部３２０と調整レバー１８の隙間からゴミなどの異物がプリンタハウジング３２の内部に進入しにくい。
【００１７】
図示しない用紙搬送部は、給紙ローラ、排紙ローラ並びにこれらのローラを駆動する歯車列及びモータ等で構成される。用紙搬送部は、給紙ローラ及び排紙ローラを回転させることにより、印刷用紙をプラテン３４の長手方向軸線の垂線方向に搬送する。印刷用紙はプリンタハウジング３２に前方に突出した排紙トレイ２８の上に排出される。
【００１８】
図３に示すように、制御部３８には第一ＦＦＣ１４及び第二ＦＦＣ６２が接続されている。
制御部３８は、走査回路基板５４から出力される信号にガンマ補正、シェーディング補正などを施して画像データを作成する。また、制御部３８は、画像データにハーフトーン処理、解像度変換処理、色空間の変換処理、インターレース処理等を施して印刷データを作成し、印刷データに基づいて印刷ヘッド３０、ヘッド駆動部、用紙搬送部等を制御する。また、画像入出力装置１０がパーソナルコンピュータ（ＰＣ）に制御されるイメージスキャナとして機能する場合、制御部３８で作成された画像データは、図示しないインタフェースを通じてＰＣに出力される。また、画像入出力装置がＰＣに制御されるプリンタとして機能する場合、制御部３８にはＰＣからインタフェースを通じて印刷データが入力される。
【００１９】
スキャナハウジング７０は、上部が開口した箱形に形成され、図示しないヒンジによって揺動可能にプリンタハウジング３２に連結されている。原稿台６６は、スキャナハウジング７０の上部に形成された開口部を閉塞している透明なガラス板であって、スキャナハウジング７０に固定されている。原稿台６６の盤面には原稿６４が載置される。
【００２０】
キャリッジ５０は、箱形に形成され、スキャナハウジング７０の内部に収容されている。キャリッジ５０は、スキャナハウジング７０に固定された棒状のキャリッジガイド６８に摺動自在に支持されている。キャリッジ５０は、図示しないモータによって駆動される図示しないベルトに係止されている。キャリッジ５０はベルトの回転に伴ってキャリッジガイド６８の軸線方向に往復移動する。
【００２１】
キャリッジ５０の内部には、リニアイメージセンサ５６を実装した走査回路基板５４とレンズ６０とミラー５８と光源５２とが搭載されている。光源５２は原稿６４の走査線近傍を照射し、ミラー５８及びレンズ６０は照射された原稿の走査線上の反射光像をリニアイメージセンサ５６の受光面に結像させる。リニアイメージセンサ５６は、ＲＧＢ各色の受光素子が図３において紙面垂直方向に直線状に並ぶ姿勢で走査回路基板５４に搭載されている。リニアイメージセンサ５６は、受光面に結像された光学像の濃淡に相関する電気信号を出力する。走査回路基板５４には、リニアイメージセンサ５６及び光源５２を駆動する回路、ＡＤ変換回路等が実装されている。走査回路基板５４には、第二ＦＦＣ６２が接続されている。
【００２２】
図１に示す操作パネル２６は、プリンタハウジング３２の前面に設けられている。操作パネル２６は、液晶パネルにメニューを表示し、各種の押しボタンスイッチにより複写指示等の指示をユーザから受け付ける。複写指示が操作パネル２６で受け付けられると、制御部３８の制御の下でイメージスキャナ１２が作動して原稿を読み取って画像データが作成され、制御部３８で画像データが印刷データに変換され、プリンタ２０が印刷データに基づいて作動することにより、原稿が印刷用紙に複写される。
【００２３】
以上説明した本発明の一実施例によると、調整レバー１８を第一ＦＦＣ１４を避けつつ印刷ヘッド３０の往復移動軸線に直交する方向にプリンタハウジング３２の上部外側まで延ばすことにより、従来に比べて調整レバー１８を印刷ヘッド３０の移動空間に接近させて印刷ヘッド３０の側方に設けることが可能になり、プリンタハウジング３２を小型化することが可能になる。
【００２４】
尚、上述の実施例では、Ｕ字形に屈曲した屈曲部１８２，１８４，１８６を有する調整レバー１８を例示したが、調整レバー１８の形状はこれに限らず、第一ＦＦＣ１４を避ける形状であればどのようなものであってもよく、例えば全体としてＳ字形であってもよい。また、調整レバー１８の先端部をプリンタハウジング３２の前面や背面から突出させてもよい。
【図面の簡単な説明】
【００２５】
【図１】本発明の一実施例による画像入出力装置を示す斜視図。
【図２】本発明の一実施例による画像入出力装置１０を示す斜視図
【図３】本発明の一実施例による画像入出力装置の内部構造を示す模式図。
【図４】本発明の一実施例によるプリンタ２０を示す斜視図
【図５】本発明の一実施例によるプリンタから印刷ヘッドを取り外した状態を示す斜視図。
【図６】本発明の一実施例によるプリンタから印刷ヘッドを取り外した状態を示す斜視図。
【図７】本発明の一実施例に係るプラテンギャップ調整レバーとプリンタハウジングの上部を示す断面図。
【図８】本発明の一実施例に係るプラテンギャップ調整レバーとプリンタハウジングの上部を示す断面図。
【符号の説明】
【００２６】
１０  画像入出力装置、１２  イメージスキャナ、１４  第一ＦＦＣ（フレキシブルケーブル）、１８  プラテンギャップ調整レバー、２０  プリンタ、２１  軸受け部、２２  ガイドロッド、３０  印刷ヘッド、３２  プリンタハウジング、３４  プラテン、３８  制御部、２２０  偏心軸、３２０  開口部、３２４  環状壁
【図１】
2005059557.tif 000003
【図２】
2005059557.tif 000004
【図３】
2005059557.tif 000005
【図４】
2005059557.tif 000006
【図５】
2005059557.tif 000007
【図６】
2005059557.tif 000008
【図７】
2005059557.tif 000009
【図８】
2005059557.tif 000010